(57)【要約】【課題】複数枚の用紙を、これら複数枚の用紙が全体的に揃って積載されるように排出できる用紙排出装置を提供することを目的とする。【解決手段】所定の排出方向に用紙を排出する用紙排出部１１０と、上記排出方向に傾斜した、上記用紙排出部から排出された用紙が載置される用紙トレイ１２０と、用紙トレイ１２０の傾斜に沿って滑り落ちてきた用紙が当接し、用紙を受け止める用紙受け部１３０とを備え、さらに用紙受け部１３０には、排出された用紙の、排出方向に交わる幅方向の両端部それぞれが当接する位置に、その幅方向に並んで突出しその用紙に当接する部分が曲面で構成された複数のリブを、これら複数のリブのうちの、排出された用紙の、排出方向に延びる縁に最も近いリブが、隣り合うリブよりも突出量が少なくなるように設けた。【選択図】        図２
2005350242.tif 000002
【特許請求の範囲】
【請求項１】
所定の排出方向に用紙を排出する用紙排出部と、
前記排出方向に傾斜した、前記用紙排出部から排出された用紙が載置される用紙載置部と、
前記用紙載置部の傾斜に沿って滑り落ちてきた用紙が当接し、該用紙を受け止める用紙受け部とを備え、
前記用紙受け部は、排出された用紙の、前記排出方向に交わる幅方向の両端部それぞれが当接する位置に、該幅方向に並んで突出し該用紙に当接する部分が曲面で構成された複数の突出部を有するものであり、
前記複数の突出部のうちの、排出された用紙の、前記排出方向に延びる縁に最も近い突出部が、隣り合う突出部よりも突出量が少ないものであることを特徴とする用紙排出装置。
【発明の詳細な説明】
【技術分野】
【０００１】
本発明は、所定の排出方向に用紙を排出し、排出された用紙を載置する用紙排出装置に関する。
【背景技術】
【０００２】
一般に市場に出回っているコピー機は、多くの場合、画像が記録された用紙を排出し、排出された用紙を載置する用紙排出装置を備えている。このような用紙排出装置で用紙が載置される際には、用紙の縁が揃って載置されることが好ましい。そこで、排出された用紙を揃える、次のような技術が提案されている。
【０００３】
例えば、排出される用紙を、この用紙の幅に合った間隔で並ぶ２つの壁の間に用紙が入るように受け取ることによって、その用紙の幅方向の動きを規制して用紙を揃える技術が提案されている（例えば、特許文献１参照。）。また、例えば、排出される用紙の幅方向の一端を基準壁に沿わせて排出するいわゆるサイドレジ方式を採用した技術では、複数のリブの上に用紙を排出し、排出されてきた用紙をそれらのリブによって揃えることが提案されている（特許文献２参照。）。
【０００４】
しかしながら、特許文献１に示す技術には、載置された用紙が、この用紙を揃えるための壁に囲まれているので、その用紙を取り出しにくいという問題や、２つの壁の間隔とは異なる幅の用紙については、全く揃えることができないという問題がある。
【０００５】
また、用紙の排出方式には、サイドレジ方式の他、排出される用紙の幅方向中央を排出口の中央に一致させて排出するいわゆるセンターレジ方式もあり、特許文献２に示す技術は、このセンターレジ方式に対応していない。さらに、特許文献２に示す技術では、排出された用紙がリブの上に載置されるので、用紙をあまり大量に載置することができないという問題もある。
【０００６】
そこで、排出された用紙が載置される用紙トレイに傾斜を持たせ、用紙トレイの傾斜によって用紙を滑り落とし、滑り落ちてきた用紙が当接する部分に突出部を設けてこの突出部によって用紙を揃えようとする技術が提案されている（特許文献３参照）。この技術によれば、どのような幅の用紙にも対応することができ、用紙を取り出しやすい。また、用紙の排出方式は限定されず、用紙の大量積載も可能である。
【特許文献１】特開平２−１１７５６０号公報（第２−３頁、図１）
【特許文献２】特開平６−５６３２８号公報（第３−３頁、図１，図２）
【特許文献３】特開平５−２５４７１０号公報（第３−５頁、図２）
【発明の開示】
【発明が解決しようとする課題】
【０００７】
図７は、滑り落ちてきた用紙が当接する部分に突出部を設けた用紙排出装置の一例を示す図である。
【０００８】
図７に示す用紙排出装置５００は、用紙排出部５０１と、傾斜面５０２と、用紙受止リブ５０３とを備えている。この用紙排出装置５００では、用紙排出部５０１から排出された用紙は、傾斜面５０２の傾斜に沿って滑り落ち、用紙の幅方向に並ぶ複数の用紙受止リブ５０３で受け止められる。
【０００９】
ここで図７に示す用紙排出装置５００では、複数の用紙受止リブ５０３が用紙を受け止める際に、以下に説明する不具合が生じる可能性が高い。
【００１０】
図８は、複数の用紙受止リブが引き起こす不具合を示す模式図である。
【００１１】
図８には、４つの用紙受止リブ５０３の断面と、用紙とが示されている。この図８の例では、用紙Ｐを、その用紙Ｐが４つの用紙受止リブ５０３の並びに十分に沿うように受け止めることができるように、両端の２つの用紙受止リブ５０３が、用紙Ｐの縁Ｐｅの両端が当接する位置に配置されている。
【００１２】
図８のパート（ａ）には、矢印Ｅ方向に傾斜面５０２（図７参照）を滑り落ちた用紙Ｐが、用紙受止リブ５０３で受け止められる様子が示されている。この図８のパート（ａ）の例では、用紙がやや傾いて滑り落ちるために、用紙Ｐの縁Ｐｅの両端のうちの一端Ｐｅ１が、用紙受止リブ５０３に突き当たり、その用紙受止リブ５０３から反発力Ｆ３をうけている。その結果、用紙Ｐの重心Ｐｗの周りには、この反発力Ｆ３と、この一端Ｐｅ１から重心Ｐｗまでの、用紙Ｐの幅方向の距離Ｌａとで表わされる回転モーメントＦ３×Ｌａが矢印Ｇ方向に発生し、用紙Ｐが回転してしまう。図８のパート（ｂ）には、用紙Ｐが上記のように回転した結果、始めに用紙受止リブ５０３に突き当たった一端Ｐｅ１とは反対側の一端Ｐｅ２が、用紙受止リブ５０３に突き当たり、その用紙受止リブ５０３から反発力Ｆ４をうける様子が示されている。この反発力Ｆ４は、反対側の一端Ｐｅ１が当初に受けた反発力Ｆ３に比べれば若干小さいが、この場合にも、重心Ｐｗの周りには、この反発力をＦ４と、上記の一端Ｐｅ２から重心Ｐｗまでの、用紙Ｐの幅方向の距離Ｌａとで表わされる回転モーメントＦ４×Ｌａが矢印Ｈ方向に発生し、用紙Ｐが回転してしまう。
【００１３】
図７に示す用紙排出装置５００では、用紙Ｐが、縁Ｐｅの両端Ｐｅ１，Ｐｅ２がほぼ同時に用紙受止リブ５０３に突き当たったときには、上述したような回転モーメントがほとんど発生せず、複数の用紙受止リブ５０３の並びに沿って傾斜面５０２上に載置される。しかし、図８に示すように、用紙Ｐが回転してしまったときには、複数の用紙受止リブ５０３の並びに対して傾いて載置される可能性が高い。
【００１４】
図９は、図７に示す用紙排出装置において、排出された複数枚の用紙が、用紙排出装置内に乱れて積載される様子を示す模式図である。
【００１５】
この図９には、排出された複数枚の用紙のうちの数枚が、上述したように傾いて載置された結果、用紙トレイ上で、ある特定の用紙だけ大きく乱れて積載された様子が、上面図Ｖ１と側面図Ｖ２とで示されている。
【００１６】
ここで、用紙が用紙受止リブ５０３で受け止められる際に、その用紙が大きく回転してしまうほど、このような積載された用紙の乱れは大きくなる。また、用紙は、上述したような回転モーメントが大きいほど、大きく回転してしまう。そこで、このような回転モーメントを抑制するために、複数の用紙受止リブ５０３の配置を工夫することを考えてみる。
【００１７】
図１０は、用紙を用紙受止リブで受け止める際に、用紙に発生する回転モーメントが抑制されるように、複数の用紙受止リブの配置が工夫された例を示す模式図である。ここで、図１０に示す例は、複数の用紙受止リブの配置が、図８に示す例と異なっていることを除いて、図８に示す例と同様であり、用紙受止リブ等といった要素には図８と同じ符号が付されている。
【００１８】
また、この図１０も上記の図８と同様に、パート（ａ）には、矢印Ｅ方向に滑り落ちてきた用紙Ｐが１つの用紙受止リブ５０３から反発力Ｆ５を受けて回転する様子が示され、パート（ｂ）には、一度回転した用紙Ｐが別の用紙受止リブ５０３から反発力Ｆ６を受けて回転する様子が示されている。
【００１９】
この図１０の例では、上記の図８の例と異なり、４つの用紙受止リブ５０３が、用紙Ｐを縁Ｐｅの中央に近い位置で受け止めるように配置されている。その結果、用紙Ｐは、重心Ｐｗに近い２つの位置Ｐｅ３，Ｐｅ４それぞれで交互に反発力Ｆ５，Ｆ６を受けることとなる。従って、この反発力を受ける位置Ｐｅ３，Ｐｅ４から重心Ｐｗまでの、用紙Ｐの幅方向の距離Ｌｂが、図８の例と比べて短縮され、重心Ｐｗの周りに互いに逆方向Ｊ，Ｋ発生する回転モーメントＦ５×Ｌｂ，Ｆ６×Ｌｂは、図８の例と比べて小さくなる。
【００２０】
このように図１０の例では、用紙に発生する回転モーメントが図８の例と比べて小さいため、複数の用紙が排出されて積載されたときの用紙の乱れは小さくなる。しかしながら、この例では、上述したように、４つの用紙受止リブ５０３が、用紙Ｐを縁Ｐｅの中央に近い位置で受け止めるように配置され、縁Ｐｅの両端Ｐｅ１，Ｐｅ２の動きが規制されないために、たとえ上記のような回転モーメントが用紙Ｐに発生しなくても、複数の用紙が排出されて積載されたときに用紙があまりきれいに揃わないという問題がある。
【００２１】
図１１は、図１０に示す例において、排出された複数枚の用紙が、用紙排出装置内に乱れて積載される様子を示す模式図である。
【００２２】
この図１１には、排出された用紙が、大きく乱れた用紙はないものの全体的に不揃いな状態で載置された様子が、上面図Ｖ３と側面図Ｖ４とで示されている。
【００２３】
本発明は、上記事情に鑑み、複数枚の用紙を、これら複数枚の用紙が全体的に揃って積載されるように排出できる用紙排出装置を提供することを目的とする。
【課題を解決するための手段】
【００２４】
上記目的を達成する本発明の用紙排出装置は、所定の排出方向に用紙を排出する用紙排出部と、
上記排出方向に傾斜した、上記用紙排出部から排出された用紙が載置される用紙載置部と、
上記用紙載置部の傾斜に沿って滑り落ちてきた用紙が当接し、その用紙を受け止める用紙受け部とを備え、
上記用紙受け部は、排出された用紙の、上記排出方向に交わる幅方向の両端部それぞれが当接する位置に、その幅方向に並んで突出しその用紙に当接する部分が曲面で構成された複数の突出部を有するものであり、
上記複数の突出部のうちの、排出された用紙の、上記排出方向に延びる縁に最も近い突出部が、隣り合う突出部よりも突出量が少ないものであることを特徴とする。
【００２５】
本発明の用紙排出装置によれば、上記用紙の、上記排出方向に交わる幅方向の両端部それぞれが、上記用紙受け部が備える複数の突出部で受け止められるので、この用紙の端部はこれら複数の突出部それぞれから、各突出部に分散された反発力を受ける。反発力は、用紙の弾性等によって吸収されるため、上記用紙が複数の突出部それぞれから受ける分散された反発力の総計は、例えば用紙が一点で受け止められる等といった場合における、その用紙がその一点で受ける反発力と比較してはるかに小さなものとなる。
【００２６】
また、上記用紙の、上記両端部のいずれか一方の端部が上記突出部で受け止められる際には、その用紙は、受け止められる方の端部が、もう一方の端部よりも前に出るように傾いている。本発明の用紙排出装置によれば、上記排出方向に延びる縁に最も近い突出部が、隣り合う突出部よりも突出量が少ないので、上記のように傾いた用紙の端部を、複数の突出部で確実に受け止めることができる。さらに、これらの突出部の、用紙に当接する部分が曲面で構成されており、突出部に当接した用紙が撓みやすいので、用紙に、突出部から受ける反発力を十分に吸収させることができる。
【００２７】
つまり、本発明の用紙排出装置によれば、上記用紙が上記用紙受け部で受け止められる際の、用紙が受ける反発力が小さく、この反発力に起因する回転等が十分に抑制されるので、複数枚の用紙を、これら複数枚の用紙が揃って積載されるように排出することができる。さらに、本発明の用紙排出装置によれば、上記用紙は、両端が上記突出部で受け止められ、その両端の動きがその突出部で規制された状態で上記用紙載置部に載置される。これにより、複数枚の用紙を全体的に揃えて積載することができる。
【発明の効果】
【００２８】
以上、説明したように、本発明によれば、複数枚の用紙を、これら複数枚の用紙が全体的に揃って積載されるように排出できる用紙排出装置を提供することができる。
【発明を実施するための最良の形態】
【００２９】
以下図面を参照して本発明の実施の形態を説明する。
【００３０】
図１は、本発明の一実施形態である用紙排出装置を、その用紙排出装置が取り付けられたコピー機とともに示す外観図であり、図２は、図１に示す用紙排出装置を見やすい角度から見た外観図である。また、図１のパート（ａ）には、用紙排出装置１００を備えたコピー機６００の全体外観図が示されており、図１のパート（ｂ）には、用紙排出装置１００周辺の拡大図が示されている。
【００３１】
図１および図２に示す用紙排出装置１００は、図２に示すように用紙排出部１１０と、用紙トレイ１２０と、用紙受け部１３０とを備えている。ここで、用紙排出部１１０、用紙トレイ１２０、および用紙受け部１３０は、それぞれ本発明にいう用紙排出部、用紙トレイ、および用紙受け部の各一例に相当する。
【００３２】
用紙排出部１１０は、１本の上部ローラ１１１と、この上部ローラ１１１と対向する４つの下部ローラ１１２とを備えており、コピー機６００によって画像記録等といった処理が施された用紙を、これらのローラ１１１，１１２の回転によって所定の排出方向（図２中の矢印Ａ参照）に向けて排出する。
【００３３】
用紙トレイ１２０は、周囲が開放された板型の形状を有するものであって、用紙排出部１１０下側に取り付けられており、この用紙排出部１０１に向かって下降するように傾斜している（図１参照）。この用紙トレイ１２０には、用紙排出部１０１から排出された用紙Ｐが載置される。また、この用紙トレイ１２０は、用紙トレイ１２０上に積み上げられた用紙Ｐのうち最も上に積まれた用紙Ｐと用紙排出部１１０との高さ位置が揃う位置まで、用紙Ｐの載置枚数に応じて下方に沈み込むように設けられている。この結果、用紙排出部１１０から排出された用紙Ｐは、あまり落下することなく用紙トレイ１２０上に積まれるので、用紙Ｐが用紙トレイ１２０上できれいに揃いやすくなる。さらに、用紙トレイ１２０が、用紙Ｐの載置枚数に応じて下方に沈み込むので、用紙トレイ１２０上での用紙Ｐの大量積載が可能となる。
【００３４】
用紙受け部１３０は、傾斜した用紙トレイ１２０の、低くなった側の端部に設けられており、この用紙トレイ１２０の傾斜に沿って滑り落ちてきた用紙Ｐを受け止める。以下、排出された用紙の排出方向（矢印Ａ）に交わる方向を幅方向（図２中の矢印Ｂ参照）とする。
【００３５】
また、用紙受け部１３０は、用紙トレイ１２０側の面１３１上に、用紙Ｐの厚み方向に延びる、図３を参照して後述する２種類のリブ１３２ａ，１３２ｂからなるリブペア１３２を６組備えている。これら６組のリブペア１３２は、用紙Ｐの幅方向に並べられ、また、用紙Ｐの排出方向に沿う用紙トレイ１２０の中心軸Ｍに対して鏡面対象となるように、この中心軸Ｍの両側に３組ずつ配置されている。上記の用紙トレイ１２０の傾斜に沿って滑り落ちてきた用紙Ｐは、これらのリブ１３２ａ，１３２ｂに当接して受け止められる。
【００３６】
図３は、図２に示す用紙受け部に設けられたリブを示す模式図である。
【００３７】
本実施形態では、排出される用紙の幅方向中央を用紙排出部１１０の中央に一致させて排出するセンターレジ方式で用紙が排出される。この方式では、用紙の、排出方向に沿う中心軸が、用紙トレイ１２０の中心軸Ｍと一致する。また、図３には、６組のリブペア１３２の断面の他に、互いにサイズの異なる３種類の用紙Ｐ１，Ｐ２，Ｐ３が示されている。
【００３８】
リブペア１３２は、各サイズの用紙の、排出方向に交わる幅方向の両端部それぞれが当接する位置に配置されている。また、各リブペア１３２は、互いに高さの異なる２種類のリブ１３２ａ，１３２ｂからなり、これら２種類のリブ１３２ａ，１３２ｂのうち、高さが低い低リブ１３２ａが、高さが高い高リブ１３２ｂよりも、そのリブペア１３２に当接する用紙の端に近い位置に配置されている。即ち、本実施形態では、その用紙の排出方向に延びる縁に最も近いリブの高さが、隣り合うリブの高さよりも低くなっている。
【００３９】
図４は、排出された用紙がリブに当接する様子を示す模式図である。
【００４０】
図４には、４組のリブペア１３２と、用紙Ｐとが示されている。
【００４１】
図４のパート（ａ）には、矢印Ａ’方向に用紙トレイ１２０（図２参照）を滑り落ちた用紙Ｐが、リブペア１３２で受け止められる様子が示されている。この図８のパート（ａ）の例では、用紙がやや傾いて滑り落ちるために、用紙Ｐの縁Ｐｅの両端のうちの一端Ｐｅ１が、リブペア１３２に突き当たる。ここで、この用紙Ｐは、その一端Ｐｅ１が、もう一方の一端Ｐｅ２よりも前に出るように傾いている。本実施形態では、上記のようにリブペア１３２を構成する２つのリブのうち、低リブ１３２ａが高リブ１３２ｂよりも用紙の端に近い位置に配置されているので、用紙Ｐの一端Ｐｅ１は低リブ１３２ａと高リブ１３２ｂとの両方で受け止められる。
【００４２】
用紙Ｐの一端Ｐｅ１は、リブペア１３２に突き当たると、リブペア１３２を構成する低リブ１３２ａと高リブ１３２ｂとの両方から反発力をうける。また、用紙Ｐは、リブ１３２ａ，１３２ｂの曲面で受けられるので、用紙Ｐが適度に撓んで、用紙Ｐにリブ１３２ａ，１３２ｂが若干食い込む形になり、用紙Ｐが受ける反発力は、用紙Ｐが当接している２種類のリブ１３２ａ，１３２ｂの間の領域に分散される。この結果、分散された反発力の合力Ｆ１は、例えば用紙が１つのリブで受け止められる等といった場合における、その用紙が１つのリブから受ける反発力と比較して抑制されたものとなる。
【００４３】
用紙Ｐの重心Ｐｗの周りには、上記の合力Ｆ１と、上記の一端Ｐｅ１から重心Ｐｗまでの、用紙Ｐの幅方向に沿った距離Ｌとで表わされる回転モーメントＦ１×Ｌが矢印Ｃ方向に発生するが、上述のように合力Ｆ１が抑制されているために、この回転モーメントＦ１×Ｌも抑制されたものとなる。図４のパート（ｂ）には、用紙Ｐがこの回転モーメントＦ１×Ｌによって回転した結果、始めにリブペア１３２に突き当たった一端Ｐｅ１とは反対側の一端Ｐｅ２が、リブペア１３２に突き当たり、そのリブペア１３２から反発力の合力Ｆ２をうける様子が示されている。この合力Ｆ２も、上記と同様に抑制されたものとなるため、重心Ｐｗの周りに矢印Ｄ方向に発生する、この合力Ｆ２と、上記の一端Ｐｅ２から重心Ｐｗまでの、用紙Ｐの幅方向に沿った距離Ｌとで表わされる回転モーメントＦ２×Ｌも抑制されたものとなる。
【００４４】
以上、図４を参照して説明したように、本実施形態では、用紙Ｐがリブペア１３２から受ける反発力に起因する回転モーメントが抑制されるので、用紙Ｐの回転が抑えられる。また、用紙Ｐは、最終的に両端がリブペア１３２で受け止められ、その両端の動きがそのリブペア１３２で規制された状態で用紙トレイ１２０に載置される。これにより、複数枚の用紙を全体的に揃えて積載することができる。従って、本実施形態によれば、用紙トレイ１２０（図７参照）に複数枚の用紙を排出するに当たり、排出される用紙の乱れを抑えて、これら複数枚の用紙が全体的に揃って積載されるように排出することができる。
【００４５】
尚、本実施形態では、本発明にいう用紙受け部の一例として、センターレジ方式で排出される用紙を受ける用紙受け部１３０を挙げて説明したが、本発明にいう用紙受け部はこれに限るものではなく、用紙の排出方式に応じた以下のような例であってもよい。
【００４６】
用紙の排出方式には、上記のセンターレジ方式の他に、排出される用紙の幅方向の一端を所定の基準線に一致させて排出する、いわゆるサイドレジ方式がある。
【００４７】
図５は、サイドレジ方式に対応した用紙受け部の一例を示す模式図である。
【００４８】
図５には、上記のサイドレジ方式によって、排出される用紙の幅方向の一端を基準線Ｓに一致させて排出された、互いにサイズの異なる３種類の用紙Ｐ１，Ｐ２，Ｐ３と、このような用紙を受け止める用紙受け部２１０とが示されている。
【００４９】
この図５の例では、サイドレジ方式で排出される互いにサイズの異なる３種類の用紙Ｐ１，Ｐ２，Ｐ３を受け止めるために、図３に示すリブペア１３２と同等なリブペア２１１が、各サイズの用紙の、排出方向に交わる幅方向の両端が当接する位置に設けられている。ここで、サイドレジ方式の場合、全てのサイズの用紙の、両端のうちの一端Ｐｅ１が一致するため、図５に示す用紙受け部２１０では、この一端Ｐｅ１に対応する位置に、全サイズについて共通の、１組のリブペア２１１が設けられている。そして、各サイズの用紙Ｐ１，Ｐ２，Ｐ３の、上記の一端Ｐｅ１とは反対側の一端Ｐｅ２，Ｐｅ３，Ｐｅ４に対応する位置に、上記の１組のリブペア２１１と対をなすリブペア２１１＿１，２１１＿２，２１１＿３が設けられている。また、各リブペアを構成する低リブ２１１ａと高リブ２１１ｂとの位置関係は、各リブペアにおいて、そのリブペアに当接する用紙の端に近い位置に低リブ２１１ａを配置したという位置関係になっており、用紙の排出方向に延びる縁に最も近いリブの高さが、隣り合うリブの高さよりも低くなるという位置関係である。
【００５０】
次に、用紙受け部の別例について説明する。
【００５１】
図６は、用紙トレイ上における用紙の積載位置を所定枚数毎にズラして用紙を排出するという用紙排出方式に対応した用紙受け部の一例を示す模式図である。
【００５２】
ここで、用紙の積載位置を所定枚数毎にズラす方法としては、用紙が所定枚数だけ排出される度に、用紙トレイを用紙の幅方向にシフトさせる等といった方法が挙げられるが、用紙トレイの動作に関わる機構や動作については、本発明とは関連性が薄く、ここでは詳細な説明を省略する。
【００５３】
図６には、用紙が２箇所の積載位置に積載される例が示されており、この図６に示す用紙受け部３１０では、これら２箇所の積載位置に積載される用紙Ｐ４，Ｐ５それぞれの、排出方向に交わる幅方向の両端が当接する位置にリブペア３１１が設けられている。また、上記の用紙受け部の各例と同様に、各リブペア３１１において、低リブ３１１ａが、高リブ３１１ｂよりも用紙の端に近い位置に設けられている。また、図６に示す用紙受け部３１０では、２箇所の積載位置に積載される用紙Ｐ４，Ｐ５それぞれの、幅方向の中央付近が当接する位置に、上記の高リブ３１１ｂと同形状のリブ３１２が、この中央付近を支えるために設けられている。
【００５４】
以上、図５および図６を参照して説明した用紙受け部の２例は、リブペアの配置が、図１〜図４に示す実施形態の用紙受け部１３０におけるリブペアの配置と異なるものの、用紙の、排出方向に交わる幅方向の両端のうちの一端がリブペアを構成する２種類のリブで受け止められ、用紙の回転が抑制されるという点、および、用紙が最終的には両端でリブペアに受け止められ、この両端の動きが規制されるという点は互いに同じである。つまり、図５および図６それぞれの例によっても、排出される用紙の乱れを抑えて、これら複数枚の用紙が全体的に揃って積載されるように排出することができる。
【００５５】
尚、上記では、本発明にいう用紙受け部の一例として、排出された用紙の、幅方向の両端のうちの一端を、２つのリブで受け止める用紙受け部を挙げたが、本発明はこれに限るものではなく、本発明にいう用紙受け部は、例えば、上記の一端を３つ以上のリブで受け止めるもの等であってもよい。
【図面の簡単な説明】
【００５６】
【図１】本発明の一実施形態である用紙排出装置を、その用紙排出装置が取り付けられたコピー機とともに示す外観図である。
【図２】図１に示す用紙排出装置を見やすい角度から見た外観図である。
【図３】図２に示す用紙受け部に設けられたリブを示す模式図である。
【図４】排出された用紙がリブに当接する様子を示す模式図である。
【図５】サイドレジ方式に対応した用紙受け部の一例を示す模式図である。
【図６】用紙トレイ上における用紙の積載位置を所定枚数毎にズラして用紙を排出するという用紙排出方式に対応した用紙受け部の一例を示す模式図である。
【図７】滑り落ちてきた用紙が当接する部分に突出部を設けた用紙排出装置の一例を示す図である。
【図８】複数の用紙受止リブが引き起こす不具合を示す模式図である。
【図９】図７に示す用紙排出装置において、排出された複数枚の用紙が、用紙排出装置内に乱れて積載される様子を示す模式図である。
【図１０】用紙を用紙受止リブで受け止める際に、用紙に発生する回転モーメントが抑制されるように、複数の用紙受止リブの配置が工夫された例を示す模式図である。
【図１１】図１０に示す例において、排出された複数枚の用紙が、用紙排出装置内に乱れて積載される様子を示す模式図である。
【符号の説明】
【００５７】
１００    用紙排出装置
１１０    用紙排出部
１１１    上部ローラ
１１２    下部ローラ
１２０    用紙トレイ
１３０，２１０，３１０    用紙受け部
１３１    面
１３２，２１１，２１１＿１，２１１＿２，２１１＿３，３１１    リブペア
１３２ａ，２１１ａ，３１１ａ    低リブ
１３２ｂ，２１１ｂ，３１１ｂ    高リブ
３１２    リブ
５００    用紙排出装置
５０１    用紙排出部
５０２    傾斜面
５０３    用紙受止リブ
【図１】
2005350242.tif 000003
【図２】
2005350242.tif 000004
【図３】
2005350242.tif 000005
【図４】
2005350242.tif 000006
【図５】
2005350242.tif 000007
【図６】
2005350242.tif 000008
【図７】
2005350242.tif 000009
【図８】
2005350242.tif 000010
【図９】
2005350242.tif 000011
【図１０】
2005350242.tif 000012
【図１１】
2005350242.tif 000013